(57)【要約】      （修正有）【課題】構造が簡単で伸縮自在な電子ペンを提供する。【解決手段】電子ペンは、筆部材１０と、前記筆部材の一端に固着される筆先２０と、スライド溝３４と位置決めピン３６が設置されており、且つ該位置決めピンを介して前記筆部材内に装着され、かつ把持部３２と一体に形成されたドローバーと、を備える。前記筆部材は、前記位置決めピンを連動して前記スライド溝に沿って前記ドローバーに相対してスライドする。【選択図】図３
0003158178.tif 000002
【実用新案登録請求の範囲】
【請求項１】
筆部材と、
前記筆部材の一端に固着される筆先と、
スライド溝と位置決めピンが設置されており、且つ該位置決めピンを介して前記筆部材内に装着されるドローバーと、
を備えてなる電子ペンであって、
前記筆部材は、前記位置決めピンを連動して前記スライド溝に沿って前記ドローバーに相対してスライドすることを特徴とする電子ペン。
【請求項２】
前記筆部材は、相対設置される２つの側壁及びそれぞれ前記２つの側壁に対称的に開設される２つの位置決め穴を含み、
前記スライド溝は、前記２つの位置決め穴の間に位置し、前記位置決めピンは前記スライド溝を貫いて前記２つの位置決め穴に固定されることを特徴とする請求項１に記載の電子ペン。
【請求項３】
前記筆部材は、前記筆先が設置されている一端に相対する開口端を含み、前記２つの位置決め穴は前記開口端に近接し、
前記ドローバーは、ロッド部をさらに含み、前記スライド溝は前記ロッド部の中部に開設され、前記スライド溝の長手方向と前記ロッド部の軸方向が平行し、前記ロッド部が前記開口端から前記筆部材内に装着されることを特徴とする請求項２に記載の電子ペン。
【請求項４】
前記ドローバーは、それぞれ前記スライド溝の両端に開設され、且つ前記スライド溝に連通している２つの係止穴をさらに含み、前記位置決めピンが前記係止穴に係止できることを特徴とする請求項３に記載の電子ペン。
【請求項５】
前記ドローバーは、前記ロッド部の一端に設置された把持部をさらに含むことを特徴とする請求項４に記載の電子ペン。
【請求項６】
前記筆先には、係止溝が設置され、
前記電子ペンは、環状壁に囲まれて形成する収容空洞部を有するキャップを含み、前記収容空洞部の環状壁には前記係止溝に係合される突起部が設置されることを特徴とする請求項１に記載の電子ペン。
【考案の詳細な説明】
【技術分野】
【０００１】
本考案は、電子ペン、特に伸縮自在な電子ペンに関するものである。
【背景技術】
【０００２】
最近、携帯電話、個人用携帯情報端末（ＰＤＡ）等の携帯電子装置は人々の情報管理に使われる重要なツールになった。特に、タッチパネルを有する携帯式電子装置は、一般的に入力ペンを入力手段とする。
【０００３】
従来の電子ペンは通常携帯電子装置の内部に内蔵されており、電子ペンを使用する場合、電子ペンを前記携帯電子装置の蓋体から抜き出す。しかし、携帯電子装置の蓋体の長さが短いため、それに挿入される電子ペンも短く設計しなければならない。従って、電子ペンの長さが制限されて、利用者に不便をもたらした。以上の問題を解決するために、長く伸ばすことができる電子ペンが設計されたが、これらの電子ペンは、携帯電子装置の体積に規制されて、その伸長長さが有限であって、且つ構造も複雑である。
【考案の概要】
【考案が解決しようとする課題】
【０００４】
本考案は、構造が簡単であって、伸縮自在な電子ペンを提供することを目的とする。
【課題を解決するための手段】
【０００５】
前記課題を解決するために、本考案に係る電子ペンは、筆部材と、前記筆部材の一端に固着される筆先と、スライド溝と位置決めピンが設置されており、且つ該位置決めピンを介して前記筆部材内に装着されるドローバーと、を備える。前記筆部材は、前記位置決めピンを連動して前記スライド溝に沿って前記ドローバーに相対してスライドする。
【考案の効果】
【０００６】
従来の技術と比べて、本考案の電子ペンのドローバーは位置決めピンを介して筆部材内に装着され、且つ前記筆部材は前記位置決めピンを連動して前記スライド溝に沿って、前記ドローバーに相対スライドできる。よって、本考案の電子ペンを長く伸ばす目的が達成でき、且つ前記電子ペンの構造も簡単である。
【図面の簡単な説明】
【０００７】
【図１】本考案に係る電子ペンの立体図である。
【図２】図１に示す電子ペンの立体分解図である。
【図３】図１に示す電子ペンの伸ばす状態を示す図である。
【図４】図１に示す電子ペンのＩＶ−ＩＶ線に沿う断面図である。
【図５】図４に示す電子ペンの運動状態を示す図である。
【考案を実施するための形態】
【０００８】
以下、図面を参照しながら、本考案の実施例について詳しく説明する。
【０００９】
本考案の実施例に係る電子ペンは、携帯電話等の携帯電子装置に適用する。図１と図２を参照すると、前記電子ペンは、筆部材１０と、前記筆部材１０の一端に固着される筆先２０と、伸縮できるように前記筆部材１０内に装着されるドローバー３０と、前記筆先２０を被せるキャップ４０と、を備える。
【００１０】
前記筆部材１０は、断面が略楕円を呈する管状体であって、相対設置される２つの側壁１１、開口端１２及び相対設置される２つの位置決め穴１３を含む。前記２つの位置決め穴１３は、貫通孔であって、且つ前記筆部材１０の前記開口端１２に近接する２つの側壁１１に対称的に開設されている。前記筆先２０は、略三角形を呈し、前記筆部材１０の前記開口端１２に相対する他端に固着される。前記筆先２０の前記筆部材１０から離れている一端には、携帯電話のインターフェイスを操作するためのタッチ端２１が設置され、該タッチ端２１と前記筆部材１０の前記開口端１２に相対する他端との間には、係止溝２２が設置される。
【００１１】
図３を一緒に参照すると、前記ドローバー３０は、断面が略楕円形を呈するロッド部３１と、前記ロッド部３１の一端に設置される把持部３２と、係止部３３と、を備える。前記把持部３２は、前記ロッド部３１を前記筆部材１０から便利に引き出すことに用いられる。前記係止部３３は、スライド溝３４、位置決めピン３６及び２つの係止穴３５を含む。前記スライド溝３４は、条状の貫通溝であって、前記ロッド部３１の中部に開設されており、前記スライド溝３４の長手方向と前記ロッド部３１の軸方向が平行する。前記２つの係止穴３５は、前記ロッド部３１を貫通する円形穴であって、前記スライド溝３４の両端に位置し且つ前記スライド溝３４に連通する。前記ドローバー３０は前記開口端１２から前記筆部材１０内に装着され、前記位置決めピン３６は前記スライド溝３４を貫いて前記筆部材１０の２つの位置決め穴１３に固定され且つ前記ドローバー３０の前記把持部３２に近接する係止穴３５に係止される。従って前記ドローバー３０を前記筆部材１０に装着する。
【００１２】
前記キャップ４０の一端には、収容空洞部４１が開設される。前記収容空洞部４１は略楕円状の環状壁４２に囲まれて形成され、且つ前記環状壁４２の内表面には、前記筆先２０の係止溝２２に係合するための突起部４３が設置されている。
【００１３】
図５に示すように、前記電子ペンを使用する場合、前記キャップ４０を取り外して、前記把持部３２から離れる方向へ前記筆部材１０を推進すれば、前記位置決めピン３６は、前記把持部３２に近接する係止穴３５から滑り出して、前記スライド溝３４に沿ってスライドして、最終的に他端の係止穴３５に係止される。
【００１４】
本考案に係る電子ペンにおいて、スライド溝３４と係止穴３５を有するドローバー３０は前記位置決めピン３６を介して前記筆部材１０内に固定され、前記筆部材１０は前記位置決めピン３６を連動して前記スライド溝３４に沿って前記ドローバー３０に相対してスライドするため、前記電子ペンを長く引っ張って使用する目的を達成できる。
【００１５】
本考案の電子ペンのドローバー３０の長さは前記筆部材１０の長さにほぼ等しいが、携帯電子装置の構造によって、前記筆部材１０及び前記ドローバー３０の長さを調整することができる。
【００１６】
以上、本考案の好適な実施形態について詳細に説明したが、本考案は前記実施形態に限定されるものではなく、本考案の範囲内で種々の変形又は修正が可能であり、該変形又は修正も又、本考案の特許請求の範囲内に含まれるものであることは、いうまでもない。
【符号の説明】
【００１７】
１０  筆部材
１１  側壁
１２  開口端
１３  位置決め穴
２０  筆先
２１  タッチ端
２２  係止溝
３０  ドローバー
３１  ロッド部
３２  把持部
３３  係止部
３４  スライド溝
３５  係止穴
３６  位置決めピン
４０  キャップ
４１  収容空洞部
４２  環状壁
４３  突起部
【図１】
0003158178.tif 000003
【図２】
0003158178.tif 000004
【図３】
0003158178.tif 000005
【図４】
0003158178.tif 000006
【図５】
0003158178.tif 000007